(57)【要約】【課題】ガスの噴出口を備え、快適に髭剃りができる電気かみそりを提供することを目的とする。【解決手段】電気かみそり１は、髭剃り部２、噴出口３、チューブ４、保持部５を基本構成としている。そして、髭剃り部２の表面はネット状態になっており、髭剃り刃（図示せず）が内側に収納されている。噴出口３は、ガス発生装置によって生成されたガスが噴出す場所であり、ガスはチューブ４を通って運ばれてくる。噴出口の向きは、髭剃り部２の方向に向いており、ガスが鼻孔や口に当たるよう調節されている。【選択図】図１
2008093145.tif 000002
【特許請求の範囲】
【請求項１】
ガス発生装置のガスの噴出口を備えたことを特徴とする電気かみそり
【請求項２】
ガスは高濃度酸素である請求項１に記載の電気かみそり
【請求項３】
高濃度酸素の発生手段は、シリコン系樹脂フィルムによって分離することを特徴とした請求項２に記載の電気かみそり
【請求項４】
噴出口を髭くず溜まり部の内部に設けたことを特徴とする請求項１に記載の電気かみそり
【請求項５】
ガスは加熱されたものであることを特徴とする請求項１に記載の電気かみそり
【請求項６】
噴出口までの経路内に、芳香成分含有物質を保持する保持部を設けた請求項１に記載の電気かみそり
【発明の詳細な説明】
【技術分野】
【０００１】
本発明は、効果、効能を有するガス、例えば高濃度酸素を本体から発生させることで、髭剃り時の快適性を向上させた電気かみそりに関するものである。
【背景技術】
【０００２】
高濃度酸素は、吸引すると覚醒作用があることが一般に知られている。従来、この効能を有するガスを吸引するときは、口や鼻の近くにまで噴き出し口を持っていくために、マスクやカニューラ、ヘッドセットが使用されたいた（例えば、特許文献１参照）。
【０００３】
図４は、特許文献１に記載された従来の噴出口１７を備えたヘッドセット１８である。図に示すように、ヘッドセット１８にはチューブ１９が繋がっており、チューブ１９の中を通ってきたガスが、噴出口１７から噴き出すような構成になっている。そして、手が自由に使えるように、セット部２０によって頭を固定するようになっている。したがって、使用者は、両手を自由に使うことができる。
【特許文献１】特開２００５−１５２３０２号公報
【発明の開示】
【発明が解決しようとする課題】
【０００４】
しかしながら、従来の噴出口を備えた構造体は、噴出し部が顔の近くにあるため、髭剃り等の顔面ケアの時に、噴出し部が邪魔になってしまうという問題があった。遠隔からガスを吹き付ける方法もあるが、口や鼻に到達するまでに、酸素濃度は著しく低下してしまうことになる。
【０００５】
本発明は、上記課題を解決するもので、ガス発生装置によって生成した噴出口を電気かみそりに備えることで、ヘッドセットやマスクを使用することなく、口や鼻の近くに高濃度酸素を運ぶことができる。これによって、髭剃りと共に、酸素を吸引することができるため、覚醒効果を同時に得ることができる。
【課題を解決するための手段】
【０００６】
前記従来の課題を解決するために、本発明の電気かみそりは、ガス発生装置の噴出口を備えたものである。したがって、髭剃りと酸素吸引を互いに邪魔されること無く、同時に行うことができる。
【発明の効果】
【０００７】
本発明の電気かみそりによって、髭剃りと酸素吸引を互いに邪魔されること無く、同時に行うことができる。これにより、特別な時間を割いたり、吸引を邪魔されたりすることなく、酸素による覚醒感を得ることができ、快適性を向上できる。
【発明を実施するための最良の形態】
【０００８】
第１の発明における電気かみそりは、ガス発生装置の噴出口を備えたことを特徴とするものである。電気かみそりに噴出口を設けることで、髭剃り時にガス発生装置によって生成したガスを吸引したり、電気かみそり内の掃除や乾燥に利用したりする等、用途が広がり、快適性を向上できる。
【０００９】
第２の発明における電気かみそりは、特に、第１の発明のガス発生装置によって発生するガスが、高濃度酸素であるものである。髭剃り行為は、朝目覚めたときから数十分以内に行われるのが普通であり、この際、覚醒効果のある高濃度酸素を吸引することができれ
ば目覚めをよくすることができる。本発明では、髭剃りと同時に酸素を吸引することができるため、特別な時間を割いたり、吸引を邪魔されたりすることなく、酸素による覚醒感を得ることができ、快適性を向上できる。
【００１０】
第３の発明における電気かみそりは、特に、第２の発明の高濃度酸素の発生手段が、シリコン系樹脂フィルムを介して圧力差を利用することで分離することを特徴としたものである。本構成によると、空気中の酸素と窒素、水のシリコン系樹脂フィルムに対する溶解度の差によって、フィルムを介した気圧差を駆動力としてそれぞれを分離することができる。特にシリコン系樹脂フィルムは、水の溶解度が高くなっているため、分離された気体には、酸素だけでなく、水分が多い状態となっている。そしてこれの結露し始めた状態では、溶存酸素濃度が高い水の微粒子となっている。この微粒子を皮膚に当てることで、酸素が皮膚に浸透し、肌細胞の活性を高めることができ、潤い効果が得られる。
【００１１】
第４の発明の電気かみそりは、噴出口を髭くずの溜まり部の内部に設けたものである。これにより、溜まり部に溜まった髭くずを、ブラシ等でかきだす必要が無く、ガスで掃きだすことができるため、清潔にすることができ、快適性が向上する。
【００１２】
第５の発明の電気かみそりは、特に、第１の発明のガス発生装置によって発生するガスが加熱されたものである。加熱されたガスを髭剃り部に当てることで、皮膚が温かくなって柔軟になるため、髭剃り面と皮膚が密着するようになる。したがって、いわゆる剃り負けや剃り残しを少なくでき、快適性が向上する。
【００１３】
第６の発明の電気かみそりは、噴出口までの経路内に芳香成分含有物質を保持するための保持部が設置されたものである。高濃度酸素の吸引とともに、芳香成分を吸引することで、リラックスやリフレッシュ等の心理的効果を得ることができる。
【００１４】
以下、本発明の実施の形態について、図面を参照しながら説明する。なお、この実施の形態によって本発明が限定されるものではなく、例えば、電気かみそりの剃る方式は、往復式であっても回転式であっても良い。
【００１５】
（実施の形態１）
図１において、電気かみそり１は、髭剃り部２、噴出口３、チューブ４、保持部５を基本構成としている。髭剃り部２の表面はネット状態になっており、髭剃り刃（図示せず）が内側に収納されている。
【００１６】
噴出口３は、ガス発生装置によって生成されたガスが噴出す場所であり、ガスはチューブ４を通って運ばれてくる。噴出口の向きは、髭剃り部２の方向に向いており、ガスが鼻孔や口に当たるよう調節されている。
【００１７】
保持部５は、芳香成分等を入れておくための空間であり、カセット式等になっており、内容物の入れ替えが自在である。
【００１８】
図２において、ガス発生装置６は、ガス分離手段７、減圧ポンプ８、切替弁９を基本構成としている。ここでガス分離手段７は、シリコン系樹脂フィルム１０が両面に張られた構成となっており、材質はジメチルシロキサンである。同フィルム１０の内側は空洞であり、分離された酸素と水が通る流路１１がある。
【００１９】
この流路１１は、減圧ポンプ８を介して流路１２を通ってチューブ４に繋がり、チューブ４は電気かみそりに備えた噴出口３に繋がっている。
【００２０】
次に、本発明の実施の形態における電気かみそりの動作、作用について説明する。
【００２１】
使用者が髭を剃るとき、ガス発生装置６の電源（図示せず）を入れる。すると各構成部品が動作を開始する。この動作を順に説明する。まず、減圧ポンプ８が動作を開始する。減圧ポンプ８が動作を開始することで、ガス分離手段７のシリコン系樹脂フィルム１０の内側が陰圧になり、外側の空気を吸い込む力が発生する。このフィルムの材質であるジメチルシロキサンは気体毎に透過速度が著しく異なっている。この現象を利用して、空気から酸素と水が分離される。分離した酸素及び水は、流路１２、チューブ４を通り、噴出口３から噴出すことになる。
【００２２】
なお、空気を供給するときは、切替弁９を切り替えることによって、取り出すことができる。供給する酸素は、濃度２３％〜３０％が好ましい。
【００２３】
また、加熱手段１３を設け、ガスを加熱することも可能である。加熱手段１３は、通常の抵抗発熱体であるが、減圧ポンプ８の廃熱を利用しても良い。
【００２４】
さらに、保持部５にスペアミント、ラベンダー、ローズ、ハーブ等のアロマ効果のあると言われている芳香成分を有した固形物を球状にして配置することもできる。
【００２５】
このようにすることで、使用者は、髭を剃っているときに、噴出口３から噴出す高濃度酸素を吸引することになる。これによって、髭剃りと酸素吸引を互いに邪魔されること無く、同時に行うことができるため、吸引のために特別な時間を割いたり、吸引行為が髭剃りを邪魔したりすることがなく、酸素による覚醒感を得ることができ、快適性を向上できる。また、ガスを温かくすることで髭剃りをスムーズに行うことができ、また、芳香物を経路中に入れることで心理的な効果も得られ、快適性がさらに高まる。
【００２６】
（実施の形態２）
図３において、電気かみそり１は、髭剃り部２、噴出口１４、チューブ４、髭剃り刃１５を基本構成としている。また、ガス発生装置６は図２の通りである。
【００２７】
髭剃り部２の表面はネット状態になっており、髭剃り刃１５が内側に収納されている。噴出口１４は、髭くず溜まり部１６の底部に配置されており、ガス発生装置によって生成されたガスがチューブ４を通って運ばれてくる。噴出口１４の向きは、髭剃り部２の方向に向いており、噴出したガスが髭剃り刃１５に当たるようになる。
【００２８】
なお、髭くず溜まり部１６の内部に向かっていても良い。
【００２９】
ここで、使用者が髭くずを掃除するとき、ガス発生装置６の電源（図示せず）を入れる。まず、減圧ポンプ８が動作を開始する。このとき切替弁９によって、外気が減圧ポンプ８に取り込まれることになる。すると空気が、流路１２、チューブ４を通り、噴出口１４から噴出すことになる。
【００３０】
このようにすることで、噴出口１４から発生する空気によって髭くずを吹き飛ばすようして掃除することができる。これにより、ブラシで擦って髭剃り刃を曲げてしまったり、水洗いして濡らしてしまったりすることがなく、髭くずの溜まり部１６を清潔にすることができる。したがって、衛生面からも快適性が向上する。
【産業上の利用可能性】
【００３１】
以上のように本発明にかかる電気かみそりは、男性が通常使用する髭剃り用の電気かみそりだけでなく、噴出口からのガスが届く範囲内の機器であればよく、例えば、鼻毛カッ
ター、ヘアーカッター、マユシェーバー、うぶ毛ケアへの用途へも適用できる。また、業務用として使用すれば、１台のガス発生装置から数本のチューブを伸ばし、複数の電気かみそりに利用することもできる。
【図面の簡単な説明】
【００３２】
【図１】本発明の実施の形態１における電気かみそりの概略図
【図２】本発明の実施の形態１におけるガス発生装置の構成図
【図３】本発明の実施の形態２における電気かみそりの断面図
【図４】従来のガス発生装置における噴出口の構成図
【符号の説明】
【００３３】
１  電気かみそり
３  噴出口
５  保持部
６  ガス発生装置
１０  シリコン系樹脂フィルム
１４  噴出口
１６  髭くず溜まり部
【図１】
2008093145.tif 000003
【図２】
2008093145.tif 000004
【図３】
2008093145.tif 000005
【図４】
2008093145.tif 000006